(57)【特許請求の範囲】
【請求項１】
先端に注射針が設けられた可撓性の送液チューブを軸線方向に進退自在に可撓性の外套管内に挿通配置して、その送液チューブの基端側の部分を上記外套管の基端に連結された把持筒体内に通し、上記送液チューブの基端に接続された操作口金を上記把持筒体に対して軸線方向に移動操作することによって、上記送液チューブが上記外套管内で進退して上記注射針が上記外套管の先端から突没するようにした内視鏡用注射具において、
上記操作口金の移動範囲を、上記外套管の先端から上記注射針を最大限に突出させる位置よりさらに先側へ移動可能にすると共に、上記送液チューブの基端側の部分がたわんで蛇行するための空間を上記把持筒体内に形成して、上記操作口金を最大限に先側へ移動させたときには上記送液チューブが上記把持筒体内の空間で蛇行するようにしたことを特徴とする内視鏡用注射具。
【請求項２】
上記送液チューブの上記把持筒体内の空間内に位置する部分が、他の部分に比べて大きな可撓性を有している請求項１記載の内視鏡用注射具。
【請求項３】
上記把持筒体内の空間内に位置する部分において、上記送液チューブの腰折れを防止するための腰折れ防止部材が設けられている請求項１又は２記載の内視鏡用注射具。
【請求項４】
上記把持筒体内の空間内に位置する部分において、上記送液チューブの外周に螺旋溝が形成されていて、その螺旋溝に沿ってコイル部材が巻き付けられている請求項３記載の内視鏡用注射具。
【請求項５】
上記送液チューブが、上記把持筒体内で蛇行した状態において、先側に向かって軸線方向に８０ｇ以上の反発力を有する請求項１、２、３又は４記載の内視鏡用注射具。
【発明の詳細な説明】
【０００１】
【発明の属する技術分野】
この発明は、内視鏡の鉗子チャンネルに通されて、体腔内に注射をするために用いられる内視鏡用注射具に関する。
【０００２】
【従来の技術】
図４は、従来の内視鏡用注射具を示しており、内視鏡の鉗子チャンネル内に挿通される可撓性の外套管１は、例えば四フッ化エチレン樹脂チューブ又はステンレス鋼線製コイルパイプなどによって形成されている。
【０００３】
外套管１内には、先端に注射針２が設けられた、例えば四フッ化エチレン樹脂製チューブからなる可撓性の送液チューブ３が、軸線方向に進退自在に挿通配置されている。
【０００４】
外套管１の先端には、金属製の先端口金４が固着されており、その中心に穿設された穴４ａから注射針２が突没できるようになっている。５は、注射針２の後半部分に固着されたストッパであり、先端口金４に当接することによって、注射針２の最大突出量を規制するためのものである。
【０００５】
外套管１の基端には、注射針２を突没操作する際に指先で把持される把持筒体７が連結されている。８は、外套管１の基端部付近の折れ曲りを防止するための折れ止めコイルである。
【０００６】
９は、注射針２を突没操作するための操作口金であり、手元側から把持筒体７内に押し込み操作できるようになっている。操作口金９の手元側端部には、注射筒受け口金１０が形成されている。
【０００７】
操作口金９の先側には、外套管１の入口に達する長くて細いチューブ接続部９ａが形成されていて、その部分９ａに、送液チューブ３の基端部分が被嵌接続されている。
【０００８】
把持筒体７の手元側口元近傍の内周面には、円周溝１１が形成されていて、そこにゴム又は合成樹脂製の弾力性のある材料からなるＯリング１２が嵌め込まれている。
【０００９】
そして、把持筒体７の内周面に嵌合する操作口金９の外周面には、Ｏリング１２と係合する先側係合溝１４と後側係合溝１５とが軸線方向に間隔をあけて形成されている。
【００１０】
このように構成された内視鏡用注射具においては、外套管１の基端に連結された把持筒体７を把持して、送液チューブ３の基端に連結された操作口金９を軸線方向に進退操作することにより、外套管１の先端から注射針２を突没させることができる。
【００１１】
その操作の際の操作口金９の操作ストロークは、先側係合溝１４と後側係合溝１５との間の距離Ｂであり、注射針２の移動ストロークＡよりもＢの方が大きく設定されている。
【００１２】
したがって、図４に示されるように注射針２が外套管１内に引っ込んだ状態から、操作口金９を把持筒体７内に押し込んでいくと、注射針２を最大限に突出させた位置からさらに操作口金９が把持筒体７内に押し込まれ、そこで図５に示されるように後側係合溝１５がＯリング１２と係合して、把持筒体７に対して操作口金９が係止される。
【００１３】
したがって、図５に示されるように、ストッパ５が先端口金４にぶつかって、注射針２が最大限に突出された状態では、送液チューブ３には、軸線方向に圧縮する力が全長にわたって加わっている。
【００１４】
【発明が解決しようとする課題】
上述のように、注射針２を最大限に突出させた状態で、送液チューブ３に軸線方向の圧縮力を加えておくことは、注射針２を患部に突き刺す際に、注射針２が押し戻されないようにするために必要である。
【００１５】
また、外套管１を湾曲させたときに、注射針２を最大限に確実に突出させるためには、注射針２の移動ストロークＡよりも操作口金９の操作ストロークＢを大きくしておく必要がある。
【００１６】
しかし、上述のような構造の従来の内視鏡用注射具においては、圧縮力が加えられた送液チューブ３が、僅かなクリアランスしかない外套管１内で全長にわたってたわむことになる。
【００１７】
そのため、外套管１内で送液チューブ３に全長にわたる蛇行癖がついてしまって、円滑な操作ができなくなる場合がある。また、外套管１が真っ直ぐな状態ではストローク差（Ｂ−Ａ）が大きくなるので、送液チューブ３に加わる圧縮力が相当に大きくなってしまい、操作口金９の押し込み操作が非常に重くなって操作性を損う場合があった。
【００１８】
そこで本発明は、送液チューブに蛇行癖がつかず、かつ安定した操作力量を維持することができる内視鏡用注射具を提供することを目的とする。
【００１９】
【課題を解決するための手段】
上記の目的を達成するため、本発明の内視鏡用注射具は、先端に注射針が設けられた可撓性の送液チューブを軸線方向に進退自在に可撓性の外套管内に挿通配置して、その送液チューブの基端側の部分を上記外套管の基端に連結された把持筒体内に通し、上記送液チューブの基端に接続された操作口金を上記把持筒体に対して軸線方向に移動操作することによって、上記送液チューブが上記外套管内で進退して上記注射針が上記外套管の先端から突没するようにした内視鏡用注射具において、上記操作口金の移動範囲を、上記外套管の先端から上記注射針を最大限に突出させる位置よりさらに先側へ移動可能にすると共に、上記送液チューブの基端側の部分がたわんで蛇行するための空間を上記把持筒体内に形成して、上記操作口金を最大限に先側へ移動させたときには上記送液チューブが上記把持筒体内の空間で蛇行するようにしたことを特徴とする。
【００２０】
なお、上記送液チューブの上記把持筒体内の空間内に位置する部分が、他の部分に比べて大きな可撓性を有しているとよく、上記把持筒体内の空間内に位置する部分において、上記送液チューブの腰折れを防止するための腰折れ防止部材が設けられていてもよい。
【００２１】
その場合、上記把持筒体内の空間内に位置する部分において、上記送液チューブの外周に螺旋溝が形成されていて、その螺旋溝に沿ってコイル部材が巻き付けられていてもよい。
【００２２】
また、上記送液チューブが、上記把持筒体内で蛇行した状態において、先側に向かって軸線方向に８０ｇ以上の反発力を有するとよい。
【００２３】
【発明の実施の形態】
図面を参照して本発明の実施の形態を説明する。
図２は、本発明が適用された内視鏡用注射具を示しており、内視鏡の鉗子チャンネル内に挿通される可撓性の外套管１は、例えば四フッ化エチレン樹脂チューブ又はステンレス鋼線製コイルパイプなどによって形成されている。
【００２４】
外套管１内には、先端に注射針２が設けられた、例えば四フッ化エチレン樹脂製チューブからなる可撓性の送液チューブが、軸線方向に進退自在に挿通配置されている。
【００２５】
外套管１の先端には、金属製の先端口金４が固着されており、その中心に穿設された穴４ａから注射針２が突没できるようになっている。５は、注射針２の後半部分に固着されたストッパであり、先端口金４に当接することによって、注射針２の最大突出量を規制するためのものである。
【００２６】
外套管１の基端には、注射針２を突没操作する際に指先で把持される把持筒体７が連結されている。８は、外套管１の基端部付近の折れ曲りを防止するための折れ止めコイルである。
【００２７】
９は、注射針２を突没操作するための操作口金であり、手元側から把持筒体７内に押し込み操作できるようになっている。操作口金９の手元側端部には、注射筒受け口金１０が形成されている。
【００２８】
操作口金９内に位置する操作口金９の先端部分９ａには、送液チューブ３の基端部が接続されている。また、把持筒体７の手元側口元近傍の内周面には、円周溝１１が形成されていて、そこにゴム又は合成樹脂製の弾力性のある材料からなるＯリング１２が嵌め込まれている。
【００２９】
そして、把持筒体７の内周面に嵌合する操作口金９の外周面には、Ｏリング１２と係合する先側係合溝１４と後側係合溝１５とが軸線方向に間隔をあけて形成されている。
【００３０】
Ｏリング１２と係合溝１４，１５はいわゆるクリックの機能を有しており、Ｏリング１２がいずれかの係合溝１４，１５と係合すると、操作口金９が把持筒体７に弾力的に係止された状態になる。
【００３１】
このように構成された内視鏡用注射具においては、外套管１の基端に連結された把持筒体７を把持して、送液チューブ３の基端に連結された操作口金９を軸線方向に進退操作することにより、外套管１の先端から注射針２を突没させることができる。
【００３２】
その操作の際の操作口金９の操作ストロークは、先側係合溝１４と後側係合溝１５との間の距離Ｂであり、注射針２の移動ストロークＡよりもＢの方が大きく設定されている。
【００３３】
したがって、図２に示されるように注射針２が外套管１内に引っ込んだ状態から、操作口金９を把持筒体７内に押し込んでいくと、注射針２を最大限に突出させた位置からさらに操作口金９が把持筒体７内に押し込まれ、そこで図１に示されるように後側係合溝１５がＯリング１２と係合して、把持筒体７に対して操作口金９が係止される。
【００３４】
したがって、図１に示されるように、ストッパ５が先端口金４にぶつかって、注射針２が最大限に突出された状態では、送液チューブ３には、軸線方向に圧縮する力が全長にわたって加わっている。
【００３５】
そこでこの実施の形態においては、送液チューブ３に軸線方向に圧縮力が加わったときに送液チューブ３の基端側の部分が大きくたわんで蛇行するための空間１７が、把持筒体７内に形成されている。
【００３６】
送液チューブ３の空間１７内に位置する部分には、その全範囲に、図３に拡大して示されるような螺旋溝１８が形成されている。そして、例えばステンレス鋼線からなるコイル１９が、螺旋溝１８に沿って巻き付けられている。
【００３７】
そのように螺旋溝１８が形成されたことにより、送液チューブ３は、空間１７内に位置する部分においては、他の部分に比べて可撓性が大きく（即ち、柔軟で）曲がり易くなっている。そして、曲げられた際の腰折れがコイル１９によって防止されている。
【００３８】
このように構成された実施の形態の内視鏡用注射具においては、図１に示されるように、ストッパ５が先端口金４に当接して注射針２が最大限に突出した状態では、送液チューブ３の基端側の部分が把持筒体７内の空間１７内で大きくたわんで蛇行する。そして、操作口金９を引き戻せば、図２に示されるように、コイル１９の弾性によって、送液チューブ３は元の真っ直ぐな状態に戻される。
【００３９】
したがって、送液チューブ３には蛇行癖がほとんどつくことはなく、把持筒体７の空間１７内における送液チューブ３は可撓性が大きくて柔軟なので、操作口金９を最大限まで押し込む際に、大きな操作力量を必要とすることもない。
【００４０】
なお、一般に、注射針２を患部に刺す際には４０〜８０ｇ程度の力が必要とされるので、送液チューブ３の基端部側が空間１７内でたわんだ図１の状態において、そのたわみ部分から針先側への軸線方向の反発力Ｆが８０ｇ以上になるように各部を設定するとよい。
【００４１】
【発明の効果】
本発明によれば、操作口金の移動範囲を、外套管の先端から注射針を最大限に突出させる位置よりさらに先側へ移動可能にすると共に、送液チューブの基端側の部分がたわんで蛇行するための空間を把持筒体内に形成して、操作口金を最大限に先側へ移動させたときには送液チューブが把持筒体内の空間で蛇行するようにしたことにより、送液チューブに蛇行癖がつかず、かつ操作口金を押し込み操作するのに、重くなりすぎることのない安定した操作力量を維持することができる。
【図面の簡単な説明】
【図１】本発明の実施の形態の内視鏡用注射具の注射針が突出した状態の側面断面図である。
【図２】本発明の実施の形態の内視鏡用注射具の注射針が引っ込められた状態の側面断面図である。
【図３】本発明の実施の形態の送液チューブの基端部側の部分の拡大断面図である。
【図４】従来の内視鏡用注射具の注射針が引っ込められた状態の側面断面図である。
【図５】従来の内視鏡用注射具の注射針が突出した状態の側面断面図である。
【符号の説明】
１  外套管
２  注射針
３  送液チューブ
７  把持筒体
９  操作口金
１７  空間
１８  螺旋溝
１９  コイル
【図１】
0003709037.tif 000002
【図２】
0003709037.tif 000003
【図３】
0003709037.tif 000004
【図４】
0003709037.tif 000005
【図５】
0003709037.tif 000006